(57)【要約】【課題】環巻作業の簡素化、人員削減および省力化を図ることができ、さらに、小規模で効率的な操業を適正に行うことができるリングフックおよびこれを用いた旋網の操業方法を提供すること。【解決手段】旋網を用いた操業におけるパースライン４２の巻き込みの際に前記パースライン４２に係合された複数のパースリング７を順次貫通することによって、これら複数のパースリング７を収納可能とされたフック本体５３ａと、このフック本体５３ａにおける長手方向の両端部に形成され、前記フック本体５３ａを船体上に吊上げるための吊上げ綱７０を挿通可能とされた貫通孔５３ｂとを有すること。【選択図】      図１
2004298131.tif 000002
【特許請求の範囲】
【請求項１】
旋網を用いた操業におけるパースラインの巻き込みの際に、前記パースラインに係合された複数のパースリングを順次貫通することによって、これら複数のパースリングを収納可能とされたフック本体と、
このフック本体における長手方向の両端部に形成され、前記フック本体を船体上に吊上げるための吊上げ綱を挿通可能とされた貫通孔と
を有することを特徴とするリングフック。
【請求項２】
前記フック本体は、長手方向の両端部が吊上げ方向に反った弓形形状に形成されていることを特徴とする請求項１に記載のリングフック。
【請求項３】
旋網を用いた操業におけるパースラインの巻き込みの際に、前記パースラインに係合された複数のパースリングを順次貫通することによって、これら複数のパースリングを収納可能とされたフック本体と、このフック本体における長手方向の両端部に形成され、前記フック本体を船体上に吊上げるための吊上げ綱を挿通可能とされた貫通孔とを有するリングフックを用い、このリングフックによって前記パースリングを収納した後に、前記フック本体を舷側に対して平行な状態に保持することを特徴とするリングフックを用いた旋網の操業方法。
【請求項４】
前記フック本体における長手方向の両端部が吊上げ方向に反った弓形形状に形成されているリングフックを用いることを特徴とする請求項３に記載のリングフックを用いた旋網の操業方法。
【発明の詳細な説明】
【０００１】
【産業上の利用分野】
本発明は、リングフックおよびこれを用いた操業方法に係り、特に、旋網を用いた操業におけるパースラインの巻き込みの際に、前記パースラインに係合された複数のパースリングを収納するのに好適なリングフックおよびこれを用いた旋網の操業方法に関する。
【０００２】
【従来の技術】
従来から、漁法の一種として、魚群を包囲するようにして円形に網を設置し、網裾を締めて下方から魚群が脱出するのを防止するとともに、囲いを次第に狭めて魚群を漁獲する旋網漁法が採用されている。
【０００３】
図１９は、このような旋網漁法に用いられている旋網１を示したものであり、この旋網１は、略矩形状の長尺な網本体２を有しており、この網本体２は、大手部２ａ、身網部２ｂおよび魚捕部２ｃの範囲に区分けされている。
【０００４】
前記網本体２の図１９における上端部には、網本体２に一定の浮力を付与する複数の浮子４が、長手方向に所定の間隔を設けて配設されている。
【０００５】
一方、前記網本体２の図１９における下端部には、網本体２に一定の重力を付与することによってこの網本体２を海中に沈めるための沈子５が配設されている。
【０００６】
従って、海中において、前記網本体２は、その沈子５側の端部が下になり、浮子４側が上になった状態で立つことができるようになっている。
【０００７】
このため、網本体２を図２０に示すように魚群の周囲に円筒状に張り巡らせることができ、魚群を包囲しつつ漁獲することができるようになっている。
【０００８】
前記網本体２の前記沈子５側の端部には、環吊綱１１を介して複数の環状のパースリング７が、長手方向に所定の間隔を設けて配設されている。
【０００９】
そして、前記パースリング７には、長尺な紐状のパースライン８が貫通されており、このパースライン８によって網本体２の前記沈子５側の端部を含めた沈子側縁部９を絞ることにより、魚群が包囲網から逃げるのを防止することができるようになっている。
【００１０】
また、前記網本体２の大手側の端部には、網本体２に牽引力を付与して揚網を行うための紐状の大手綱１０が配設されている。
【００１１】
さらに、前記網本体２には、必要に応じて、船首絞り綱１２、もやい綱１３（図２２参照）および船首浮子寄せ綱１４等の種々の綱が配設されるようになっている。
【００１２】
このような構成を有する旋網１を用いた操業は、図２１に示す種々の装備を搭載した漁船１６によって行われるようになっている。
【００１３】
前記漁船１６は、投網補助手段としてのレッコボート１７を備えており、このレッコボート１７は、海上において所定の投網位置を確保するようになっている。
【００１４】
また、前記漁船１６は、投網手段として、大手綱の牽引を行う大手巻ウインチ１８と、曳綱の操作を行う船首浮子兼もやいウインチ１９および船首立ローラ２１とを備えている。
【００１５】
さらに、前記漁船１６は、沈子側縁部９を絞るための手段として、パースライン８の操作を行うためのパースウインチ２２、起立式ダビット２３、環巻ウインチ２４および旋回式ワイヤリール２５を備えている。
【００１６】
この他に、前記漁船１６は、揚網手段としてのネットホーラ２６、揚網および整反手段としての網捌機２８、および魚締め手段としてのサイドホーラ２９等を備えている。
【００１７】
次に、このような漁船１６によって前記旋網１を用いた操業を行う場合は、まず、図２２に示すように、投網の補助を行うためのレッコボート１７に、もやい綱１３、船首浮子寄せ綱１４、船首絞り綱１２およびパースライン８を取り付け、これを曳航して投網の機会をうかがう。そして、投網を開始する場合は、もやい綱１３のストッパフックを解除した後、レッコボート１７を後進させることによってこのボート１７を投網位置に保持する。
【００１８】
次に、旋網１を船上から繰り出しつつ漁船１６を魚群６の周囲を取り囲むようにして周状に進行させる。なお、このとき、レッコボート１７は所定の投網位置に静止した状態になっている。
【００１９】
漁船１６が魚群６の周囲を周回し終え、図２３に示すようにレッコボート１７に近接したところで漁船１６の進行を停止する。このとき、旋網１の網本体２は魚群６の周囲を筒状に囲繞した状態になる。
【００２０】
次に、もやい綱１３、船首浮子寄せ綱１４、船首絞り綱１２およびパースライン８のそれぞれの端部をレッコボート１７から漁船１６側に受け取り、パースライン８を環巻ウインチ２４に、船首絞り綱１２を船首立ローラ２１に、そして、船首浮子寄せ綱１４を浮子兼もやいウインチ１９にそれぞれ連結する。
【００２１】
各綱の連結が完了した後、レッコボート１７のそれぞれの綱に対応するストッパフックを解除し、旋網１とレッコボート１７との連結を解除する。これにより、後続のパースライン８の巻き込み及び揚網のための準備が完了する。
【００２２】
そして、パースライン８の巻き込みを行うには、図２４に示すように、前記旋網１の配置側に対向する漁船１６の裏側に、付属船（図示せず）を配置し、この付属船と漁船１６とを裏漕綱３０で連結する。
【００２３】
前記漁船１６と前記付属船とを連結した後、この付属船を旋網１の配置位置と逆方向に進行させる裏漕を行いつつ、図２４に示すように環巻ウインチ２４によってパースライン８の巻き込み操作を行う。これにより、パースライン８の巻き込みあるいは揚網時に漁船１６が旋網１や魚群６の重さによって旋網の配置方向に転覆することを防止することができるようになっている。
【００２４】
前記パースライン８の巻き込みの際に、前記網本体２の沈子側縁部９は、パースライン８によって巾着の開口のように絞られることとなるため、魚群６を包囲していた網本体２は、筒状の形状から、底部側の開口を徐々に閉じられた形状に変形する。このため、魚群が旋網１の底部から逃げるのを防止しつつ漁獲を行うことができる。
【００２５】
そして、前記パースライン８の巻き込みを続け、パースリング７がダビット２３まで揚がった時点でダビット２３を倒し、パースリング７を船内に引き込む。
【００２６】
次に、魚捕側の浮子方端を図２５における右舷側に移した後、ストッパロープ３１を大手側に連結してストッパフックをかける。そして、揚網ガイドロープ３２を網捌機２８およびネットホーラ２６に通した後、これを網本体２の大手側端部に連結する。
【００２７】
さらに、大手綱１０を網本体２の大手側端部から取り外した後、揚網ガイドロープ３２を巻き取りながら図２６に示すようにネットホーラ２６を右舷側に移動する。
【００２８】
この状態で揚網ガイドロープ３２の巻き取りを継続し、ガイドロープ３２に強力な張力が掛かった時点で、ストッパロープ３１を掛けたストッパフックを解除する。
【００２９】
そして、前記ストッパフックの解除後、揚網を開始する。このとき、魚捕側を固縛し、絞り綱１２を抜き取り、また、船首浮子寄せ綱１４を浮子兼もやいウインチ１９から引き出しておく。
【００３０】
図２７に示すように、揚網動作においては、ネットホーラ２６および網捌機２８にて揚網された漁具を、次回の投網に支障がないように船体上に整反する。このとき、揚網の進行につれ、船尾側の環吊綱１１から順にネットホーラ２６に牽引されて張力がかかる。この張力により、環吊綱１１とパースリング７との締結状態が解かれ、パースリング７から環吊綱１１が離脱する。この離脱した環吊綱１１は、浮子綱１４と一緒に船体上に揚がる。
【００３１】
そして、船体上に揚がった環吊綱１１を船尾サイドホーラ２９下部にセットしたパースリング７に順次連結する。
【００３２】
次に、図２８に示すように魚締めを行う場合は、魚締めを行うだけの網地を残し、ネットホーラ２６による揚網を中止する。このとき、どれだけの網地を残すかは、漁獲量等に応じて適宜判断する。
【００３３】
ネットホーラ２６による揚網を中止した後、網地（網本体２）の沈子側端部をサイドホーラ２９に乗せ、サイドホーラ２９を作動させることによって、沈子側端部から浮子側端部に向かって順に網地を船内に取り込む。そして、パースライン８をパースブロックから脱し、パースダビットを格納する。
【００３４】
次に、魚汲みを行う場合は、図２９に示すように、前記漁船１６の網地を挟んだ対向位置に運搬船３３を位置させ、この運搬船３３によって、まず、海面から網本体２の浮子側端部を吊り上げて舷側に固縛する。そして、漁船１６と運搬船３３とをもやい綱１３によって連結し、同時に運搬船３３に対して漁船１６とは逆方向の裏漕を行う。これにより、両船の距離を適度に保つことができる。なお、このとき、サイドホーラ２９による揚網は、魚群６の密度が魚汲み可能となるまで継続する。そして、魚群の密度が濃くなったところで、すくい網１５によって魚を運搬船３３内に取り込む。
【００３５】
最後に、漁獲後に再投網の準備を行う場合は、まず、漁船１６側から網本体２の魚捕側端部を離してサイドホーラ２９を逆転するとともに、運搬船３３は、舷側に固縛した網本体２の浮子側端部を一カ所を除いて放した後、漁船１６から離れる。これにより、サイドホーラ２９によって揚網されていた網地が図３０に示すように海中に引き出される。そして、海中に引き出された網地をネットホーラ２６によって揚網し、船体上にて整反する。
【００３６】
次に、旋回式ワイヤリール２５に巻き取られたパースライン８を、パースウインチ２２に移した後、パースリング７をパースライン８から抜き取って船尾サイドホーラ１１下部にセットする。
【００３７】
そして、船首浮子寄せ綱１４及び船首絞り綱１２を船尾に移し、それぞれを網本体２の魚捕側端部に連結した後、網本体２の大手側端部への大手綱１０への連結、ネットホーラ２６の左舷側への移動を行い、最後に起立式ダビット２３を起こすことによって再投網準備が完了する。
【００３８】
以上の方法により旋網１を用いた一連の操業が行われるようになっていた。
【００３９】
さらに、特許文献１には、船体における舷側でパースラインの巻き込みを行った後に、このパースラインをパースリングとともに船尾側へ繰り出しつつパースラインが接続された旋網を船尾側に移動させ、この船尾側において後続の魚汲みを行う旋網の操業方法が開示されている。このような操業方法を採る場合、従来のように、運搬船３３と漁船１６との間に網地を挟んだ状態でしかも裏漕を行いつつ大規模な魚汲みを行う必要がなくなり、小規模で効率的な漁獲を図ることができる。
【００４０】
【特許文献１】
特開２００３−１０１号公報
【００４１】
【発明が解決しようとする課題】
ところで、前述した旋網操業においては、パースウインチ等の巻き込み手段によってパースライン１４の巻き込みを行った後、旋網操業の次工程の準備等の観点から、船体上に引き上げられたパースリング７をサイドホーラ２９等の所定の収納位置に一時的に収納することが必要になるが、従来は、パースリング７がダビット２３に揚がった時点でダビット２３を倒し、その後、個々のパースリング７を手作業で収納していた。
【００４２】
このため、環巻作業にある程度の人員を要し、作業効率の向上を図ることができないといった問題が生じていた。
【００４３】
さらに、特許文献１に記載された操業方法を実施する場合、魚汲みのためにパースライン１４を船尾側に円滑に繰り出す必要があるが、収納状態におけるパースリング７の整列方向が舷側に対して平行になっていない場合は、パースライン１４を船尾側に円滑に繰り出すことが困難となる。
【００４４】
本発明は、このような問題点に鑑みなされたもので、環巻作業の簡素化、人員削減および省力化を図ることができ、さらに、小規模で効率的な操業を適正に行うことができるリングフックおよびこれを用いた旋網の操業方法を提供することを目的とするものである。
【００４５】
【課題を解決するための手段】
前記目的を達成するため本発明の請求項１に係るリングフックの特徴は、旋網を用いた操業におけるパースラインの巻き込みの際に前記パースラインに係合された複数のパースリングを順次貫通することによって、これら複数のパースリングを収納可能とされたフック本体と、このフック本体における長手方向の両端部に形成され、前記フック本体を船体上に吊上げるための吊上げ綱を挿通可能とされた貫通孔とを有する点にある。
【００４６】
そして、このような構成を採用したことにより、前記パースラインの巻き込みの際に、前記フック本体を前記パースラインに係合された前記複数のパースリングに順次貫通させることによって、これら複数のパースリングを簡便かつ迅速に収納することが可能となる。また、前記パースリングの収納後に、前記パースリングを貫通させたフック本体を舷側に対して平行な状態に保持させることができるため、パースラインを船尾側に繰り出しつつ前記パースラインが接続された旋網の魚捕側を船尾側に移動させて後続の魚汲みを行う場合に、パースラインの繰り出しを円滑に行うことが可能となる。
【００４７】
請求項２に係るリングフックの特徴は、請求項１において、前記フック本体が、長手方向の両端部が吊上げ方向に反った弓形形状に形成されている点にある。
【００４８】
そして、このような構成を採用したことにより、パースラインやパースリングによる荷重にフック本体が十分に耐えることができ、より安定的な操業を行うことが可能となる。
【００４９】
請求項３に係るリングフックを用いた旋網の操業方法の特徴は、旋網を用いた操業におけるパースラインの巻き込みの際に前記パースラインに係合された複数のパースリングを順次貫通することによって、これら複数のパースリングを収納可能とされたフック本体と、このフック本体における長手方向の両端部に形成され、前記フック本体を船体上に吊上げるための吊上げ綱を挿通可能とされた貫通孔とを有するリングフックを用い、このリングフックによって前記パースリングを収納した後に、前記フック本体を舷側に対して平行な状態に保持する点にある。
【００５０】
そして、このような方法を採用したことにより、前記パースラインの巻き込みの際に、前記フック本体を前記パースラインに係合された前記複数のパースリングに順次貫通させることによって、これら複数のパースリングを簡便かつ迅速に収納することが可能となる。また、前記パースリングの収納後に、前記パースリングを貫通させたフック本体を舷側に対して平行な状態に保持させることができるため、このパースラインを船尾側に繰り出しつつ前記パースラインが接続された旋網の魚捕側を船尾側に移動させて後続の魚汲みを行う場合に、パースラインの繰り出しを円滑に行うことが可能となる。
【００５１】
請求項４に係るリングフックを用いた旋網の操業方法の特徴は、請求項３において、前記フック本体における長手方向の両端部が吊上げ方向に反った弓形形状に形成されているリングフックを用いる点にある。
【００５２】
そして、このような方法を採用したことにより、パースラインやパースリングによる荷重にフック本体が十分に耐えることができ、より安定的な操業を行うことが可能となる。
【００５３】
【発明の実施の形態】
以下、本発明に係るリングフックおよびこれを用いた旋網の操業方法の実施形態について図１乃至図１８を参照して説明する。
【００５４】
本実施形態におけるリングフックは、旋網を用いた操業におけるパースラインの巻き込みの際に、前記パースラインに係合された複数のパースリングを収納するものである。
【００５５】
図１に示すように、本実施形態におけるリングフック５３は、長尺なフック本体５３ａを有しており、このフック本体５３ａは、図３に示す旋網３５におけるパースライン４２の巻き込みの際に前記パースライン４２に係合されたパースリング７を順次貫通することによって、これら複数のパースリング７を収納することができるようになっている。
【００５６】
前記フック本体５３ａにおける長手方向の両端部には、一対の貫通孔５３ｂが穿設されており、これらの貫通孔５３ｂには、フック本体５３ａを船体上に吊上げるための吊上げ綱７０が挿通可能とされている。この吊上げ綱７０は、船体上に備えられたデリック５４に連結されるようになっている。
【００５７】
このように形成されたリングフック５３によれば、パースライン４２の巻き込みの際に前記パースリング７に前記フック本体５３ａを貫通させることによってパースリング７を簡便に収納することが可能となる。
【００５８】
また、前記パースリング７の収納後に、前記パースリング７を貫通させたフック本体５３ａを、舷側に対して平行な状態に保持させることによって、パースリング７の整列方向を舷側に対して平行にすることができる。この結果、パースライン４２を船尾側に繰り出しつつ、前記パースライン４２が接続された旋網３５の魚捕側を船尾側に移動させて後続の魚汲みを行う場合に、パースライン４２の繰り出しを円滑に行うことが可能となる。
【００５９】
なお、前記フック本体５３ａを舷側に平行に保持する手段としては、例えば、図２に示すような固定具７１を舷側のブルワーク７６（手摺り）に設けるようにしてもよい。この固定具７１は、フック本体５３ａを下方から保持するための保持部７２を有しており、この保持部７２における上面には、舷側に沿って長尺とされた断面円弧状の溝７３が凹設されている。また、前記保持部７２には、前記保持部７２の上面を開閉可能とされた蓋部７４が回動可能に軸支されている。
【００６０】
このような固定具７１を用いる場合、パースリング７が収納された状態のフック本体５３ａを保持部７２の溝７３に遊嵌し、その後、前記蓋部７４を閉じることによって、前記フック本体５３ａを安定的に固定することができ、このフック本体５３ａに収納されたパースリング７の整列方向を確実に舷側に対して平行に保持することができる。
【００６１】
また、本実施形態において、前記フック本体５３ａは、長手方向の両端部が吊上げ方向に反った弓形形状に形成されている。
【００６２】
これにより、パースライン４２やパースリング７による荷重にフック本体５３ａが十分に耐えることができ、より安定的な操業を行うことができるようになっている。
【００６３】
なお、フック本体５３ａにおける長手方向端部の幅寸法は、パースリング７の貫通を円滑に行う観点から、フック本体５３ａにおける他の部位の幅寸法と同程度か、もしくは若干細い寸法に形成されていることが好ましい。
【００６４】
次に、前記リングフックを適用した本発明に係るリングフックを用いた操業方法の実施形態について説明する。
【００６５】
なお、本実施形態においては、図３に示す旋網３５を用いて操業を行う。
【００６６】
この旋網３５は、平面略矩形状の網本体３６を有しており、この網本体３６のうち、図３における右端部側は、魚群６を威嚇して所定の漁獲位置に追い込むための大手側とされている。前記網本体３６の大手側の端部に配設された三角網３７の先端部には、長尺な大手綱１０が配設されており、この大手綱１０に対して牽引力を付与することによって、旋網３５の揚網を行うようになっている。
【００６７】
一方、前記網本体３６のうち、図３における左端部側は、大手側によって追い込まれた魚群を魚獲するために主要な機能を果たす魚捕側とされており、この魚捕側には、三角網３８を介して投網位置を確保するための抵抗体３９が取り付けられている。また、前記網本体３６の図３における上端部には、この上端部に浮力を付与するための複数の浮子４が、上端部の長手方向に所定の間隔を設けて配設されている。そして、前記網本体３６のうち、前記大手側と魚捕側との間に挟まれた最も平面積の広い範囲は、身網部とされており、この身網部によって魚群を円環状に包囲しつつ漁獲を行うようになっている。
【００６８】
本実施形態においては、身網部のうち、図３に示す破線よりも右側である大手側の身網部の目合、すなわち各網目４０の対角線方向の寸法は、魚捕側の身網部の目合よりも大きく形成されている。
【００６９】
ここで、旋網３５の大手側は、魚群６を威嚇して魚捕側に追い込むことを主要な機能としているが、この大手側に隣接する所定範囲の身網部についても、いちはやく揚網がなされ、漁獲の最終段階に至るまで漁獲物に関与することはない。このため、その主要機能は、大手側と同様に魚群の威嚇であるといえる。
【００７０】
従って、前記大手側の所定範囲の身網部についても、魚群に対する威嚇としての機能を発揮し得る大きさであれば、魚群６を最終的に漁獲するために重要な役割を有する魚捕側の身網部ほど目合を小さく形成する必要性も薄い。
【００７１】
そこで、図３のように大手側の所定範囲の身網部の目合を大きく形成すれば、漁獲を適正に行いつつ網本体３６に要するコストの低廉化および軽量化を図ることができる。
【００７２】
また、本実施形態において用いる旋網３５は、網本体３６の沈子側縁部９を絞るためのパースライン４２が、従来のように網本体２における沈子側縁部９の全長にわたる長さには形成されておらず、網本体３６の魚捕側端部に配設された三角網３８の先端から、大手側に向けて沈子側縁部９の全長よりも短い長さにわたって配設されている。そして、前記パースライン４２の大手側端部は、この大手側端部に対応する沈子側縁部９の対応位置に接続されている。
【００７３】
前述したように、大手側の所定範囲の身網部は、魚群６に対する威嚇として機能すればよく、沈子側縁部９を絞る必要があるのは、袋網３への漁獲物の汲み上げ段階に至るまで魚群に関与する魚捕側の身網部であると考えれば、大手側の身網部に至るまでパースライン４２を延在させなくても問題が少ないと言える。
【００７４】
むしろ、パースライン４２の長さを短くすることによって、パースライン４２に要するコストを低減し、旋網３５全体の製造コストの低廉化および軽量化を図ることができる。また、旋網３５の軽量化は、揚網の際に漁船４３に作用する負荷を低減することにつながるため、漁船４３の転覆を防止しつつ操業を安全に行うことができる。
【００７５】
また、本実施形態においては、図４および図５に示す漁船４３を用いて操業を行う。
【００７６】
この漁船４３は、従来と同様に、パースライン４２の巻き込みを行うパースウインチ４５や、縦ローラ４６、ボラード４７、ストッパフック４８および三方ローラ４９等の種々の装備を有している。ただ、本実施形態においては、網本体３６を軽量化することができるため、網の牽引は、船尾側に配設された簡易なボールローラ５０によって大手綱１０を挟持した状態で行うことができるようになっている。また、本実施形態においては、操業は、２〜５名程度の少人数で行うことができる。
【００７７】
そして、前述した旋網３５と漁船４３とを前記リングフックとともに用いて操業を行う場合は、まず、図５に示す投網準備段階において、船尾側に、前記旋網３５を装備しておく。
【００７８】
この状態から投網を開始する場合は、図６に示すように、海上に抵抗体３９を浮かべて所定の投網位置を確保するとともに、漁船４３を進行させて魚群６の周囲を周回させつつ旋網３５を魚捕側の端部から先に順次海上に繰り出す。
【００７９】
すなわち、このとき、網目が細密に形成された魚捕側を先に海上に繰り出し、網目が大きく形成された大手側を後に繰り出すことになるが、一般に、漁網は、網目が細かいほど流水抵抗が大きくなるため海中への沈降速度が遅くなり、一方、網目が大きいほど流水抵抗が小さくなるため沈降速度が速くなるようになっている。従って、本実施形態においては、沈降速度が遅い魚捕側を先に海上に繰り出し、沈降速度が速い大手側を後に繰り出すことにより、旋網３５全体の沈降速度を均一化することができる。
【００８０】
そして、漁船４３が魚群６の周囲を一周して船首が抵抗体３９の位置まで到達したら、漁船４３の移動を終了し、図７に示すように抵抗体３９を船首左舷側において取り込む。
【００８１】
その後、船尾右舷の縦ローラ４６によって魚捕側の三角網３８を船体に近づけ、これをストッパフック４８に連結する。
【００８２】
前記投網の終了後、図８に示すようにパースライン４２の巻き込みと、揚網の準備を行う。すなわち、船尾側のボールローラ５０によって大手綱１０を挟持し、また、パースライン４２の魚捕側端部をパースウインチ４５に接続されたパースライン元綱５１に連結する。
【００８３】
次に、図９に示すように、パースウインチ４５の駆動によってパースライン４２の巻き込みを行いつつ前記ボールローラ５０の駆動によって大手側の揚網を行う。このとき、パースライン４２は、図１０に示すようにパースライン４２と沈子側縁部９との接続点の位置まで巻き込みを行う。また、船尾側の揚網は、パースライン４２の巻き込みとの関係を考慮して、図１１に示すように予め旋網に付された揚網中止マーク５２の位置まで行う。
【００８４】
そして、図１２に示すように、パースライン４２の巻き込みが終了したら、図１３に示すように、パースリング７にリングフック５３のフック本体５３ａを貫通させることによって、パースリング７の収納を行う。
【００８５】
なお、このとき、リングフック５３の貫通孔５３ｂのうち、貫通方向前方の貫通孔５３ｂに対する吊上げ綱７０の連結を解除しておくことによって、パースリング７に対するフック本体５３ａの貫通が許容される状態にしておく。
【００８６】
そして、フック本体５３ａにパースリング７を収納した後、図１４に示すように、フック本体５３ａにおける両方の貫通孔５３ｂに吊上げ綱７０を連結した状態で、この吊上げ綱７０に連結されたデリック５４を駆動することによって、前記フック本体５３ａを船体上に吊り上げる。
【００８７】
そして、フック本体５３ａを船体上へ吊上げた後、このフック本体５３ａを図２に示したように固定具７１に固定することによって、フック本体５３ａを舷側に対して平行な状態に保持する。
【００８８】
これにより、パースリング７の整列方向が舷側に対して平行な状態に保持される。
【００８９】
なお、パースリング７にリングフック５３を貫通させた後は、パースライン４２にかかった張力は緩める。
【００９０】
次に、図１５、図１６に示すように、パースウインチ４５を巻き込み時と逆方向に回転させてパースライン４２を船尾側に繰り出しを行いつつ揚網を再開する。
【００９１】
これにより、揚網が進行するにつれてパースライン４２の接続点が船上に引き上げられた状態を保ちながら船尾側へ移行することができるため、沈子側縁部９からの漁獲物の逃避を防止することができる。
【００９２】
また、このとき、パースリング７の整列方向が舷側に対して平行な状態に保持されているため、パースライン４２を船尾側に円滑に繰り出すことができる。
【００９３】
そして、揚網がある程度まで終了した後に、図１７に示す魚締めを行う。すなわち、まず、船首において魚捕側の三角網３８を離脱させて、袋網３を船尾に移す作業を行う。このとき、前記魚捕側の三角網３８は、漁獲物が逃避しないように船上に上げた状態で船尾に移す。なお、パースライン４２は、袋網３が船尾に移るまでパースウインチ４５の元綱５１に連結し続ける。
【００９４】
魚締めが完了した後、図１８に示す魚汲みを行う。すなわち、漁獲物が袋網３に移るように操網を行う。このとき、漁獲物は、ボールローラ５０によって船内に取り込まれる。ここで、従来は、運搬船３３と漁船１６との間に網地を挟んだ状態でしかも裏漕を行いつつ魚汲みを行う必要があったが、本実施形態においては、旋網３５の軽量化にともなって従来のような大規模な魚汲みを行う必要がなく、小規模で効率的な漁獲を行うことができる。
【００９５】
最後に、パースライン４２、パースリング７を再度投網ができるように整理する。その後、投網を行う場合は、抵抗体３９を魚捕側の三角網３８に連結すればよい。
【００９６】
これにより、本実施形態における旋網３５を用いた一連の操業が完了する。
【００９７】
従って、本実施形態によれば、前記パースライン４２の巻き込みの際に、前記フック本体５３ａを前記パースライン４２に係合された前記複数のパースリング７に順次貫通させることによって、これら複数のパースリング７を簡便に収納することができる。また、前記パースライン４２の巻き込み後に、前記パースリング７を貫通させたフック本体５３ａを舷側に対して平行な状態に保持させることによって、このパースライン４２を船尾側に繰り出しつつ前記パースライン４２が接続された旋網３５の魚捕側を船尾側に移動させて後続の魚汲みを行う場合に、パースライン４２の繰り出しを円滑に行うことができる。
【００９８】
【発明の効果】
以上述べたように、本発明の請求項１に係るリングフックによれば、操業に要する人員や装備を軽減して安全かつ効率的な操業を行うことができ、さらに、小規模で効率的な漁獲を適正に行うことができる。
【００９９】
請求項２に係るリングフックによれば、請求項１に係るリングフックの効果に加えて、さらに安定的な操業を実現することができる。
【０１００】
請求項３に係るリングフックを用いた旋網の操業方法によれば、操業に要する人員や装備を軽減して安全かつ効率的な操業を行うことができ、さらに、小規模で効率的な漁獲を適正に行うことができる。
【０１０１】
請求項４に係るリングフックを用いた旋網の操業方法によれば、請求項３に係る旋網の操業方法の効果に加えて、さらに安定的な操業を実現することができる。
【図面の簡単な説明】
【図１】本発明に係るリングフックの実施形態を示した斜視図
【図２】本発明に係るリングフックの実施形態において、フック本体の船側への固定方法を示した説明図
【図３】本発明に係るリングフックを用いた旋網の操業方法の実施形態において操業に用いる旋網を示す展開図
【図４】本発明に係るリングフックを用いた旋網の操業方法の実施形態において操業に用いる漁船を示す側面図
【図５】図４に示した漁船の平面図
【図６】本発明に係るリングフックを用いた旋網の操業方法の実施形態において、投網開始状態を示す図
【図７】本発明に係るリングフックを用いた旋網の操業方法の実施形態において、投網終了状態を示す図
【図８】本発明に係るリングフックを用いた旋網の操業方法の実施形態において、パースラインの巻き込みおよび揚網の準備状態を示す図
【図９】本発明に係るリングフックを用いた旋網の操業方法の実施形態において、パースラインの巻き込みおよび揚網状態を示す図
【図１０】本発明に係るリングフックを用いた旋網の操業方法の実施形態において、パースラインの巻き込み終了状態を示す図
【図１１】本発明に係るリングフックを用いた旋網の操業方法の実施形態において、パースラインの巻き込み終了状態を示す図
【図１２】本発明に係るリングフックを用いた旋網の操業方法の実施形態において、パースリングの処理状態を示す図
【図１３】本発明に係るリングフックを用いた旋網の操業方法の実施形態において、図１２の次工程におけるパースリングの処理状態を示す図
【図１４】本発明に係るリングフックを用いた旋網の操業方法の実施形態において、リングフックの吊上げ工程を示す図
【図１５】本発明に係るリングフックを用いた旋網の操業方法の実施形態において、揚網の再開を示す図
【図１６】本発明に係るリングフックを用いた旋網の操業方法の実施形態において、揚網の再開を示す図１５の次工程の図
【図１７】本発明に係るリングフックを用いた旋網の操業方法の実施形態において、魚締め状態を示す図
【図１８】本発明に係るリングフックを用いた旋網の操業方法の実施形態において、魚汲み状態を示す図
【図１９】従来から使用されている旋網の一例を示す展開図
【図２０】従来から採用されている旋網を用いた操業方法の一例を示す図
【図２１】従来から採用されている旋網を用いた操業を行うための漁船を示す平面図
【図２２】従来から採用されている旋網を用いた操業方法において、投網準備状態を示した図
【図２３】従来から採用されている旋網を用いた操業方法において、投網終了状態を示す図
【図２４】従来から採用されている旋網を用いた操業方法において、環巻き状態を示す図
【図２５】従来から採用されている旋網を用いた操業方法において、環巻き終了状態を示す図
【図２６】従来から採用されている旋網を用いた操業方法において、揚網準備状態を示す図
【図２７】従来から採用されている旋網を用いた操業方法において、揚網状態を示す図
【図２８】従来から採用されている旋網を用いた操業方法において、魚締め状態を示す図
【図２９】従来から採用されている旋網を用いた操業方法において、魚汲み状態を示す図
【図３０】従来から採用されている旋網を用いた操業方法において、再投網準備状態を示す図
【符号の説明】
７  パースリング
３５  旋網
４２  パースライン
５３  リングフック
５３ａ  フック本体
５３ｂ  貫通孔
７０  吊上げ綱
【図１】
2004298131.tif 000003
【図２】
2004298131.tif 000004
【図３】
2004298131.tif 000005
【図４】
2004298131.tif 000006
【図５】
2004298131.tif 000007
【図６】
2004298131.tif 000008
【図７】
2004298131.tif 000009
【図８】
2004298131.tif 000010
【図９】
2004298131.tif 000011
【図１０】
2004298131.tif 000012
【図１１】
2004298131.tif 000013
【図１２】
2004298131.tif 000014
【図１３】
2004298131.tif 000015
【図１４】
2004298131.tif 000016
【図１５】
2004298131.tif 000017
【図１６】
2004298131.tif 000018
【図１７】
2004298131.tif 000019
【図１８】
2004298131.tif 000020
【図１９】
2004298131.tif 000021
【図２０】
2004298131.tif 000022
【図２１】
2004298131.tif 000023
【図２２】
2004298131.tif 000024
【図２３】
2004298131.tif 000025
【図２４】
2004298131.tif 000026
【図２５】
2004298131.tif 000027
【図２６】
2004298131.tif 000028
【図２７】
2004298131.tif 000029
【図２８】
2004298131.tif 000030
【図２９】
2004298131.tif 000031
【図３０】
2004298131.tif 000032